(57)【要約】【課題】  利便性を損なうこと無く、ＡＴＭの盗撮行為を防止する。【解決手段】  盗撮防止基材１２が、自動現金預け払い機８０の情報表示画面８４を覆うように配置され、位置決め機構１４によって、この盗撮防止基材１２の情報表示画面８４に対する固定角度を変更可能とする。【選択図】図２
2007156683.tif 000002
【特許請求の範囲】
【請求項１】
自動現金預け払い機の情報表示画面を覆うように配置される盗撮防止基材と、
前記情報表示画面に対する前記盗撮防止基材の固定角度を変更可能な位置決め機構と、
を備える事を特徴とする自動現金預け払い機用盗撮防止装置。
【請求項２】
請求項１において、
前記盗撮防止基材が、視野角制限機能層を備える事を特徴とする自動現金預け払い機用盗撮防止装置。
【請求項３】
請求項１又は２において、
一端が前記盗撮防止基材の幅方向端縁近傍に固定されると共に他端が前記情報表示画面の幅方向端縁近傍に固定され、該盗撮防止基材の固定角度の変化に併せて自在に伸縮可能な側面盗撮防止シートを備えることを特徴とする自動現金預け払い機用盗撮防止装置。
【請求項４】
請求項１、２又は３において、更に、
前記自動現金預け払い機のカード挿入口の上部に配置され、該カード挿入口に挿入されるカードの上面を覆うカード用盗撮防止基材を備えることを特徴とする自動現金預け払い機用盗撮防止装置。
【請求項５】
請求項１乃至４のいずれかにおいて、
前記盗撮防止基材が、光反射層を備えることを特徴とする自動現金預け払い機用盗撮防止装置。
【発明の詳細な説明】
【技術分野】
【０００１】
本発明は、自動現金預け払い機に設置され、利用者の各種情報を覗き見る等の盗撮行為を防止する盗撮防止装置に関するものである。
【背景技術】
【０００２】
従来、金融機関等において現金の受け渡しを自動化するために、自動現金預け払い機（以下、ＡＴＭ：Ａｕｔｏｍａｔｅｄ  Ｔｅｌｌｅｒ  Ｍａｃｈｉｎｅ）が広く利用されている。このＡＴＭは、カード挿入口、通帳挿入口、情報表示画面等を備えており、各挿入口にカード又は通帳を挿入し、それに対応した暗証番号を情報表示画面を介して入力するだけで、現金の引出等が可能となっている。例えば、クレジットカードを利用して現金を引出す場合は、当該クレジットカードをカード挿入口に挿入し、対応する暗証番号を入力するだけで、所定範囲内で現金を引出すことができる。
【発明の開示】
【発明が解決しようとする課題】
【０００３】
近年、パーソナルコンピュータや携帯端末を用いて、インターネット経由でショッピングを行う環境が整ってきている。その際の代金決済手段として、クレジットカードが広く利用されており、実際のクレジットカードがその場になくても、カード番号、有効期限、暗証番号等を入手できれば、それらの情報をインターネット経由で送信するだけで、決済が可能となっている。この結果、不正にこれらの情報を入手して、他人に成りすまして決済を行う犯罪が発生している。これらの情報を不正入手するための手法として、ＡＴＭが利用される場合がある。具体的に例えば、ＡＴＭ近辺に無線カメラを設置し、この無線カメラによって、ＡＴＭ利用者のカード番号や暗証番号を直接的に盗撮する行為がある。この場合、無線カメラが隠されているので、ＡＴＭの利用者は、第三者の盗撮行為を回避することが困難であるという問題があった。
【０００４】
本発明は上記問題点に鑑みてなされたものであり、ＡＴＭ利用者の利便性を確保しつつ、各種情報の流出を防止することが可能な盗撮防止装置を提供することを目的としている。
【課題を解決するための手段】
【０００５】
上記目的は以下の手段によって達成される。
【０００６】
（１）自動現金預け払い機の情報表示画面を覆うように配置される盗撮防止基材と、前記情報表示画面に対する前記盗撮防止基材の固定角度を変更可能な位置決め機構と、を備える事を特徴とする自動現金預け払い機用盗撮防止装置。
【０００７】
（２）上記（１）において、前記盗撮防止基材が、視野角制限機能層を備える事を特徴とする自動現金預け払い機用盗撮防止装置。
【０００８】
（３）上記（１）又は（２）において、一端が前記盗撮防止基材の幅方向端縁近傍に固定されると共に他端が前記情報表示画面の幅方向端縁近傍に固定され、該盗撮防止基材の固定角度の変化に併せて自在に伸縮可能な側面盗撮防止シートを備えることを特徴とする自動現金預け払い機用盗撮防止装置。
【０００９】
（４）上記（１）、（２）又は（３）において、更に、前記自動現金預け払い機のカード挿入口の上部に配置され、該カード挿入口に挿入されるカードの上面を覆うカード用盗撮防止基材を備えることを特徴とする自動現金預け払い機用盗撮防止装置。
【００１０】
（５）上記（１）乃至（４）のいずれかにおいて、前記盗撮防止基材が、光反射層を備えることを特徴とする自動現金預け払い機用盗撮防止装置。
【発明の効果】
【００１１】
本発明によれば、利用者の利便性を損なうことなく、ＡＴＭを用いたカード番号や暗証番号の盗撮行為を効果的に防止することが可能となる。
【発明を実施するための最良の形態】
【００１２】
以下、図面を参照しながら本発明の実施の形態の例について詳細に説明する。
【００１３】
図１には、本発明の実施の形態の例に係るＡＴＭ用盗撮防止装置１が示されている。このＡＴＭ用盗撮防止装置１は、ＡＴＭ（自動現金預け払い機）８０に設置されるものであり、クレジットカードやキャッシュカードの番号、手入力による暗証番号等の盗撮を防止するものである。
【００１４】
ＡＴＭ８０は、基台８２の上面に設置されるタッチパネル式の情報表示画面８４、利用者に対して情報表示画面８４の奥側に配置される硬貨入出開閉口８６及び紙幣入出開閉口８８、これらの硬化入出開閉口８６及び紙幣入出開閉口８８の上方に配置される通帳挿入口９０及びカード挿入口９２等を備える。情報表示画面８４は、預金残高等の様々な情報を表示するとともに、タッチパネルとして、預金を引き出すための暗証番号や振込先口座等を入力する入力画面として機能する。硬貨入出開閉口８６及び紙幣入出開閉口８８は、それぞれ、蓋が所定のタイミングで開閉することによって、硬貨や紙幣の出し入れを行う場所である。通帳挿入口９０は利用者が保有する通帳を挿入する部位であり、又カード挿入口９２は、利用者が保有するクレジットカードやキャッシュカード等のカードを挿入する部位である。
【００１５】
ＡＴＭ用盗撮防止装置１は、ここでは情報表示画面８４の盗撮を防止するための画面用盗撮防止装置１０と、カードの盗撮を防止するためのカード用盗撮防止装置４０を備えている。
【００１６】
図２に拡大して示されるように、画面用盗撮防止装置１０は、ＡＴＭ８０の情報表示画面８４を覆うように配置される盗撮防止基材１２と、この盗撮防止基材１２の固定角度を変更可能な位置決め機構１４を備える。位置決め機構１４は、ＡＴＭ８０の上面に固定される固定ベース１６と、この固定ベース１６に対して盗撮防止基材１２を揺動自在に保持する蝶番１８を備えて構成されており、矢印Ａに示されるように、蝶番１８を支点として、盗撮防止基材１２における利用者側端縁１２Ａを上方に開放できるようになっている。
【００１７】
この盗撮防止基材１２は、図３に更に拡大して示されるように、プラスチック層２０及び視野角制限機能層２２を備えている。プラスチック層２０は、無色透明、有色透明、半透明等の光透過性のプラスチック材料を成型したものであり、光が透過可能となっている。視野角制限機能層２２は、予め設定された視野角範囲Ｘ内の角度で進行する光Ｐについては透過率が高く、この視野角範囲Ｘを外れる角度で進行する光Ｑについては透過率が低くなるように調整されている。この視野角制限機能層２２として、例えば、内部に視野角制御用のルーバーを備えた機能性フィルムを用いるようにする。なお、本実施形態では、視野角制限機能層２２のこの視野角制御方向を、ＡＴＭ８０の奥行き方向に設定しており、詳細には視野角範囲Ｘが、情報表示画面８４の面方向に対して３０度〜１００度となるように設定している。
【００１８】
図２に戻って、盗撮防止基材１２を揺動自在に保持する蝶番１８は、盗撮防止基材１２を垂直にした状態で停止できるようなロック機構を有している。この結果、盗撮防止基材１２は、情報表示画面８４の全域を覆うような水平位置と、直立した状態となる垂直位置の２つの状態で固定される。なおここでは２つの状態で固定できるようにしたが、３以上の多段階で固定できるようにしても良い。
【００１９】
カード用盗撮防止装置４０は、カード用盗撮防止基材４２と、このカード用盗撮防止基材４２を揺動自在にＡＴＭ８０に固定する蝶番４４を備える。このカード用盗撮防止基材４２は、カード挿入口９２の上方に設置されており、光を透過しない有色プラスチック材料を成型して構成されている。蝶番４４は、このカード用盗撮防止基材４２を、略水平状態を上限として下方側に揺動できるように保持している。
【００２０】
図４には、このＡＴＭ用盗撮防止装置１の使用状態が示されている。
【００２１】
まず、ＡＴＭ８０の正面に立った利用者Ｓは、画面用盗撮防止装置１０を介して情報表示画面８４を覗き込んで、各種情報を把握する。例えば、この情報表示画面８４には、記帳、預け入れ、払い出し、融資、振込み等のメニューボタンが表示されて、メニューを選択するようになっている。この際、盗撮防止基材１２の視野角範囲Ｘが利用者Ｓの視線方向を含むようになっているので、利用者Ｓは何ら違和感無く情報を読み取る事ができる。情報を入力する場合には、画面用盗撮防止装置１０の盗撮防止基材１２を上方に持ち上げて垂直状態に固定する。この状態で情報表示画面８４に表示される所定のメニューボタンを指で触れることで個別メニューを表示したり、必要な暗証番号等の情報を入力したりする。この際、垂直となっている盗撮防止基材１２が光を遮断するので、利用者Ｓの正面上方等に設置される盗撮カメラ等から、情報表示画面８４を覗くことができない様になっている。利用者Ｓ側が、硬化入出開閉口８６及び紙幣入出開閉口８８を利用する場合には、盗撮防止基材１２を再び閉じるようにする。
【００２２】
カード６０を利用する場合には、カード用盗撮防止装置４０におけるカード用盗撮防止基材４２を水平となるように持ち上げて、カード挿入口９２にカード６０を挿入する。この結果、カード６０の上面側は常にカード用盗撮防止基材４２に覆われているので、カードに記されている番号が盗撮されないようになっている。
【００２３】
以上、本実施の形態に係るＡＴＭ用盗撮防止装置１によれば、ＡＴＭ８０の正面上方に設置される盗撮カメラ等による盗撮行為を防止することが可能となる。特に、盗撮防止基材１２の視野角を所定の範囲内に制限することにより、利用者Ｓの利便性を損なわないようになっている。具体的には、盗撮防止基材１２が情報表示画面８４の全域を覆い隠している場合であっても、利用者Ｓには画面８４の光が限定的に到達するので、情報を読み取る事が可能となる。一方で、盗撮用カメラ等の方向に対しては視野各範囲外となるようにし、盗撮行為による情報の覗き見が防止される。また、情報表示画面８４にタッチする為に、盗撮防止基材１２を持ち上げた場合であっても、盗撮用カメラに対しては視野角範囲外となっているので常に盗撮行為を防止することができる。なお、視野角範囲については、ＡＴＭ８０の具体的な位置関係や、情報表示画面８４の大きさ、盗撮防止基材１２の固定位置等の関係を考慮して個別に設定すれば良い。
【００２４】
さらに本ＡＴＭ用盗撮防止装置１では、側面側からの盗撮行為を防御できないが、図５に示されるＡＴＭ用盗撮防止装置１００のように、盗撮防止基材１２の幅方向両側縁近傍に、アコーディオン状の側面盗撮防止シート１５０を設置するようにしてもよい。具体的にこの側面盗撮防止シート１５０は扇状に伸縮自在となるシート部材であり、一端１５０Ａが盗撮防止基材１２の幅方向端縁近傍に固定されると共に、他端１５０Ｂが情報表示画面８４の幅方向端縁近傍に固定され、盗撮防止基材１２の角度の変化に併せて自在に伸縮可能となっている。従って、盗撮防止基材１２を上方に持ち上げた際、側面盗撮防止シート１５０が扇状に広がることでカバーとなり、側面側からの盗撮行為が防止できるようになっている。なお、その他の構成については既に示したＡＴＭ用盗撮防止装置１と同様の構成であるため他の説明は省略する。
【００２５】
なお、本実施の形態で示したＡＴＭ用盗撮防止装置１では、盗撮防止基材１２の視野角制限機能層２２として、視野角制御用のルーバーを備えた機能性フィルムを用いた場合を示したが、本発明はそれに限定されず、視野角が制御できるものであれば他の構造であっても構わない。
【００２６】
特に、盗撮防止基材１２にハーフミラー層（光反射層）を設けることも好ましい。このようにすると、ハーフミラー層に対する光の入射角度によって、このミラー層の実質的な光反射率が異なるので、視野角制限機能を奏することになる。また、情報表示画面８４とミラー層が接近している状態においては、情報表示画面８４の光（映像）を、ミラー層を通過して利用者Ｓの眼に到達させることができる一方、情報表示画面８４を上方に持ち上げた場合、情報表示画面８４からミラー層の距離が離れるとともに、光の進行方向に対してミラー層が傾斜することにより、情報表示画面８４の光の大部分をミラー層で反射させることで、盗撮を防止できる。通常、暗証番号等入力する際は盗撮防止基材１２を上方に持ち上げることになるので、情報入力時の盗撮を適宜防止できるようになる。
【００２７】
尚、本発明ＡＴＭ用盗撮防止装置は、上記した実施の形態に限定されるものではなく、本発明の要旨を逸脱しない範囲内において種々変更を加え得ることは勿論である。
【産業上の利用可能性】
【００２８】
本発明は、キャッシング等を含む金融関連機関で広く利用されている自動現金預け払い機に利用する事ができ、利用者に関連する様々な情報の覗き見行為を効果的に防止することが可能となる。
【図面の簡単な説明】
【００２９】
【図１】本発明の実施形態に例に係るＡＴＭ用盗撮防止装置を示す全体図
【図２】同ＡＴＭ用盗撮防止装置を拡大して示した側面図
【図３】同ＡＴＭ用盗撮防止装置の盗撮防止基材の構造を示す断面図
【図４】同ＡＴＭ用盗撮防止装置の使用態様を示す側面図
【図５】同ＡＴＭ用盗撮防止装置の他の構成例を示す斜視図
【符号の説明】
【００３０】
１        ＡＴＭ用盗撮防止装置
１０      画面用盗撮防止装置
１２      盗撮防止基材
１４      位置決め機構
４０      カード用盗撮防止装置
４２      カード用盗撮防止基材
８０      自動現金預け払い機（ＡＴＭ）
８４      情報表示画面
９２      カード挿入口
【図１】
2007156683.tif 000003
【図２】
2007156683.tif 000004
【図３】
2007156683.tif 000005
【図４】
2007156683.tif 000006
【図５】
2007156683.tif 000007